(57)【特許請求の範囲】
【請求項１】
機器情報を収集して記憶する記憶部を備えたコントローラと、前記コントローラの記憶部から前記機器情報を収集する管理サーバとを備えるネットワークに接続される、補助記憶装置であって、
前記管理サーバが収集し、前記コントローラによって制御される機器の機器情報項目データのうち、前記コントローラに対して予め記憶設定された機器情報項目から外れ前記コントローラの記憶部に記憶されない機器情報項目の機器情報項目データのみを記憶する補助記憶部を備え、
前記コントローラが、当該コントローラに対して予め記憶設定された機器情報項目の機器情報項目データを記憶するのと並行して、前記補助記憶部が、前記コントローラの記憶部に記憶されない機器情報項目の機器情報項目データのみを記憶することを特徴とする、補助記憶装置。
【請求項２】
請求項１に記載の補助記憶装置であって、
前記補助記憶装置は、前記管理サーバと前記コントローラの間に接続され、
前記管理サーバから出力された指令のうち、前記補助記憶部に記憶された機器情報項目データの収集を指示する指令のみを取り込みその他の指令を前記コントローラに転送する判定部を備えることを特徴とする、補助記憶装置。
【請求項３】
請求項１または２に記載の補助記憶装置であって、
前記コントローラの記憶周期と同周期にて、前記コントローラから、当該コントローラの記憶部に記憶されない機器情報項目データを収集して、前記補助記憶部に記憶させる制御部を備えることを特徴とする、補助記憶装置。
【請求項４】
機器情報を収集して記憶する記憶部を備えたコントローラと、前記コントローラの記憶部から前記機器情報を収集する管理サーバとを備えるネットワークシステムにおける、補助記憶方法であって、
前記管理サーバが収集し、前記コントローラによって制御される機器の機器情報項目データのうち、前記コントローラに対して予め記憶設定された機器情報項目から外れ前記コントローラの記憶部に記憶されない機器情報項目の機器情報項目データのみを補助記憶装置に記憶させ、
前記コントローラに、当該コントローラに対して予め記憶設定された機器情報項目の機器情報項目データを記憶させるのと並行して、前記補助記憶部に、前記コントローラの記憶部に記憶されない機器情報項目の機器情報項目データのみを記憶させることを特徴とする、補助記憶方法。
【発明の詳細な説明】
【技術分野】
【０００１】
本発明は、ネットワークシステムに接続される補助記憶装置および当該システムにおける補助記憶方法に関する。
【背景技術】
【０００２】
従来から、ビル設備向けの管理システムとして、ビルディングオートメーションシステム（ＢＡＳ）が用いられている。このシステムでは、空調設備、照明設備、防犯設備など設備を機能別に分けたサブシステムを構築して当該サブシステム単位の管理、制御を行う。具体的には機能ごとの機器（例えば、空調機器、温度センサ等の空調設備機器）をまとめてコントローラと呼ばれる機器に直接または間接的に接続する。各コントローラは接続された機器の動作制御や機器情報の収集を行う。収集された情報はサブシステムの上位に設けられた管理サーバにて集中管理される。集中管理された情報は監視端末により閲覧、監視が可能となる。
【０００３】
コントローラには記憶部が設けられており、当該記憶部には定期的に（例えば１分ごとに）各機器の情報が記憶される。記憶部の情報は管理サーバによって定期的に（例えば１分ごと〜１日おきに）収集される。
【０００４】
このようなビルディングオートメーションシステムの通信規格（プロトコル）として、ＢＡＣｎｅｔと呼ばれる規格が知られている。この規格では、上記した機器、コントローラ、管理サーバ、監視端末を含めたネットワークにおける通信上の取り決めが定められている。ＢＡＣｎｅｔにより、他社製のサブシステム（例えば、空調機器群とそのコントローラからなる空調サブシステム）を自社製のビル管理システムに組み込むことが容易に行える。このような、いわゆるマルチベンダーシステムの構築が可能となることで、ビル設備のコスト低減を図ることができる。
【先行技術文献】
【特許文献】
【０００５】
【特許文献１】特開２００５−１３０４６７号公報
【特許文献２】国際公開第２００１／０９３５５７号
【発明の概要】
【発明が解決しようとする課題】
【０００６】
ところで、他社のサブシステムを自社のビル管理システムに組み込んだ場合、管理サーバが求める情報の一部について、サブシステムのコントローラがサポートしていない仕様となっている場合がある。例えば、管理サーバが求める情報項目の一部が、コントローラの記憶部が記憶する項目から抜けている場合がある。
【０００７】
このような場合に、コントローラの設定を変更して、記憶項目を拡充することが考えられる。しかし、コントローラのメモリ容量等の制約により、そのような拡充が困難となる場合がある。
【０００８】
また、他の手段として、管理サーバがコントローラの記憶部の肩代わりをする、すなわち、コントローラの記憶周期ごとに管理サーバがコントローラから情報を収集することが考えられる。しかし、このようにした場合、管理サーバの負担が過大となる。
【０００９】
さらに他の手段として、コントローラの上位にさらに管理サーバの仕様を満足するコントローラを設けることが考えられる。しかし、このようにした場合、同じ機能が重複することとなり、コスト低減というマルチベンダーシステムの利点が損なわれる。
【００１０】
そこで、本発明は、コスト増の抑制を図りつつ管理サーバの求める情報項目の仕様を満たすことの可能な補助記憶装置を提供することを目的とする。
【課題を解決するための手段】
【００１１】
本発明は、補助記憶装置に関するものである。当該装置は、機器情報を収集して記憶する記憶部を備えたコントローラと、前記コントローラの記憶部から前記機器情報を収集する管理サーバとを備えるネットワークに接続される。さらに、前記管理サーバが収集し、前記コントローラによって制御される機器の機器情報項目データのうち、前記コントローラに対して予め記憶設定された機器情報項目から外れ前記コントローラの記憶部に記憶されない機器情報項目の機器情報項目データのみを記憶する補助記憶部を備える。前記コントローラが、当該コントローラに対して予め記憶設定された機器情報項目の機器情報項目データを記憶するのと並行して、前記補助記憶部が、前記コントローラの記憶部に記憶されない機器情報項目の機器情報項目データのみを記憶する。
【００１２】
また、上記発明において、前記補助記憶装置は、前記管理サーバと前記コントローラの間に接続される判定部を備えることが好適である。当該判定部は、前記管理サーバから出力された指令のうち、前記補助記憶部に記憶された機器情報項目データの収集を指示する指令のみを取り込みその他の指令を前記コントローラに転送することが好適である。
【００１３】
また、上記発明において、前記コントローラの記憶周期と同周期にて、前記コントローラから、当該コントローラの記憶部に記憶されない機器情報項目データを収集して、前記補助記憶部に記憶させる制御部を備えることが好適である。
【００１４】
また、本発明は、機器情報を収集して記憶する記憶部を備えたコントローラと、前記コントローラの記憶部から前記機器情報を収集する管理サーバとを備えるネットワークシステムにおける、補助記憶方法に関するものである。当該方法では、前記管理サーバが収集し、前記コントローラによって制御される機器の機器情報項目データのうち、前記コントローラに対して予め記憶設定された機器情報項目から外れ前記コントローラの記憶部に記憶されない機器情報項目の機器情報項目データのみを補助記憶装置に記憶させる。さらに、前記コントローラに、当該コントローラに対して予め記憶設定された機器情報項目の機器情報項目データを記憶させるのと並行して、前記補助記憶部に、前記コントローラの記憶部に記憶されない機器情報項目の機器情報項目データのみを記憶させる。
【発明の効果】
【００１５】
本発明によれば、コスト増の抑制を図りつつ管理サーバの求める情報項目の仕様を満たすことが可能となる。
【図面の簡単な説明】
【００１６】
【図１】補助記憶装置の一実施形態を含むビル監視システムのブロック構成を示す図である。
【図２】ＢＡＣｎｅｔによるオブジェクト型データを例示する図である。
【図３】本実施形態に係る補助記憶装置のハードウェア構成図である。
【図４】管理サーバ、コントローラ、及び補助記憶装置の記憶項目を例示する図である。
【図５】本実施形態に係る補助記憶装置の制御部による制御フローを示す図である。
【図６】本実施形態に係る補助記憶装置の判定部による判定フローを示す図である。
【発明を実施するための形態】
【００１７】
図１は、本発明に係る補助記憶装置の一実施形態を含む、ビル監視システムの全体構成及びブロック構成を示す図である。図１には、管理サーバ１０、監視端末１２、コントローラ１４Ａ，１４Ｂ、補助記憶装置１６、及び機器１８Ａ，１８Ｂが、ネットワーク２０で接続された構成が示されている。なお、図１では紙面の都合上、コントローラ及び機器のグループ（サブシステム）を２種類のみ示しているが、この形態に限られず、より複数のサブシステムがネットワーク２０に接続されていてよい。
【００１８】
また、図１には、管理サーバ１０、コントローラ１４Ａ，１４Ｂ、補助記憶装置１６及び監視端末１２を、ビル内に設置のＬＡＮ（Ｌｏｃａｌ  Ａｒｅａ  Ｎｅｔｗｏｒｋ）で接続するよう図示したが、接続形態はこれに限ることはない。例えば監視端末１２を、管理サーバ１０ならびにコントローラ１４Ａ，１４Ｂ及び補助記憶装置１６が設置されたビルの遠隔地、例えばビルの所有者のビル等に設置し、ＷＡＮ（Ｗｉｄｅ  Ａｒｅａ  Ｎｅｔｗｏｒｋ）で管理サーバ１０と接続するようにしてもよい。
【００１９】
ネットワーク２０は、いわゆるマルチベンダーシステム対応のものであってよく、ＢＡＣｎｅｔ（ＢｕｉｌｄｉｎｇＡｕｔｏｍａｔｉｏｎ ａｎｄ Ｃｏｎｔｒｏｌ Ｎｅｔｗｏｒｋｉｎｇ ｐｒｏｔｏｃｏｌ）に対応したものであってよい。
【００２０】
ＢＡＣｎｅｔについては既知であることから、ここでは簡単にその概略を説明する。ＢＡＣｎｅｔはオブジェクト指向プロトコルであって、センサ等の実際のデバイスや記憶部内部のデータ等を属性（プロパティ）の集合として定義している。オブジェクトモデルについて、図２に例示する。ＢＡＣｎｅｔでは、Ａｃｃｕｍｕｌａｔｏｒ（積算値）、Ａｎａｌｏｇ  ｉｎｐｕｔ（温度や湿度等のアナログ値の入力）など、１８種類のオブジェクト型が定義されている。さらに、各オブジェクトには各種のプロパティが付されている。
【００２１】
図２では、照明機器Ａ−１のＯＮ／ＯＦＦ情報についてのプロパティが例示されている。照明のＯＮ／ＯＦＦを示すオブジェクトはＢｉｎａｒｙ  Ｉｎｐｕｔ（２値入力）で示される。当該オブジェクトのプロパティ（属性）は、照明機器Ａ−１のＯＮ／ＯＦＦ情報を特定するものとなっている。例えばＯｂｊｅｃｔ＿ＩｎｓｔａｎｃｅＮｏは機器Ａ−１を特定するユニークな（重複のない）番号が設定されている。Ｐｒｅｓｅｎｔ＿Ｖａｌｕｅプロパティは機器Ａ−１がＯＮ状態である（Ａｃｔｉｖｅ）ことが示されている。Ｓｔａｔｕｓ＿Ｆｌａｇプロパティはこのオブジェクトが正常に機能している（Ｉｎ−Ｓｅｒｖｉｃｅ）ことを示している。また、Ｏｕｔ＿Ｏｆ＿ＳｅｒｖｉｃｅプロパティはＰｒｅｓｅｎｔ＿Ｖａｌｕｅプロパティの値が得られない状態か否かを示しており、ここでは当該値が得られる（Ｆａｌｓｅ、ＯＵＴ＿ＯＦ＿Ｓｅｒｖｉｃｅではない）ことが示されている。また、Ｉｎａｃｔｉｖｅ＿Ｔｅｘｔプロパティ及びＡｃｔｉｖｅ＿Ｔｅｘｔプロパティは、ユーザー支援のためのオプショナルプロパティであって、Ｐｒｅｓｅｎｔ＿ＶａｌｕｅプロパティがＡｃｔｉｖｅであるとき及びＩｎａｃｔｉｖｅであるときの、機器Ａ−１の状態（ＯＮ／ＯＦＦ）を説明するものとなっている。
【００２２】
図１に戻り、管理サーバ１０は、機器１８Ａ，１８Ｂの状態を示す情報（オブジェクト及びプロパティデータ）を、コントローラ１４Ａ，１４Ｂ及び補助記憶装置１６から収集することで一括管理する。管理サーバ１０には記憶部２２が設けられており、コントローラ１４Ａ，１４Ｂ及び補助記憶装置１６から収集した情報はこの記憶部２２に記憶される。記憶部２２における情報（データ）の記憶形式等については後述する。
【００２３】
管理サーバ１０がコントローラ１４Ａ，１４Ｂ及び補助記憶装置１６から情報を収集及び記憶する記憶周期は、予め定められていてよい。例えば記憶周期は１分から１日程度の幅で定められてよい。また、記憶周期は収集する機器情報項目別に定められていてもよい。
【００２４】
管理サーバ１０はサーバコンピュータから構成され、従前から存在する汎用的なハードウェア構成で実現できる。例えば、サーバコンピュータは、ＣＰＵ、ＲＯＭ、ＲＡＭ、ハードディスクドライブ（ＨＤＤ）及びこれを制御するＨＤＤコントローラ、入力手段として設けられたマウスとキーボード、及び表示装置として設けられたディスプレイをそれぞれ接続する入出力コントローラ、通信手段として設けられたネットワークコントローラ、のそれぞれを内部バスに接続して構成される。
【００２５】
監視端末１２は、管理サーバ１０により管理される各機器１８Ａ，１８Ｂの状態を示す状態情報（オブジェクト及びプロパティ情報）を、ブラウザを介して画面に表示する。本実施の形態における監視端末１２は、上記したサーバコンピュータと同様にして、汎用的なパーソナルコンピュータ（ＰＣ）から構成されてよい。
【００２６】
機器１８Ａ，１８Ｂは、ビル内の設備機器であり、例えば機器１８Ａ−１，１８Ａ−２，・・・は照明機器群を示し、また機器１８Ｂ−１，１８Ｂ−２，・・・は空調機器群を示している。これらの機器１８Ａ，１８Ｂは、それぞれコントローラ１４Ａ，１４Ｂに接続されるとともに、コントローラ１４Ａ，１４Ｂによる動作制御に従い稼動する。なお、コントローラ１４Ａ，１４Ｂと機器１８Ａ，１８Ｂの間に、動作制御を支援するローカルコントローラを設けてもよい。
【００２７】
コントローラ１４Ａ，１４Ｂは、機器１８Ａ，１８Ｂの動作制御を行うとともに、これらの機器１８Ａ，１８Ｂの機器情報を収集する。コントローラ１４Ａ，１４Ｂは、直接、またはローカルコントローラを備える場合には間接的に、機器１８Ａ，１８Ｂの稼働状況や検知情報等に関する機器情報データを収集して記憶する。コントローラ１４Ａ，１４Ｂにはそれぞれ記憶部２４Ａ，２４Ｂが設けられており、収集した情報はこの記憶部２４Ａ，２４Ｂに記憶される。記憶部２４Ａ，２４Ｂにおける情報（データ）の記憶形式等については後述する。
【００２８】
コントローラ１４Ａ，１４Ｂの記憶部２４Ａ，２４Ｂに機器１８Ａ，１８Ｂの情報を収集、記憶する記憶周期は、予め定められていてよい。例えばコントローラ１４Ａ，１４ＢがＢＡＣｎｅｔ対応のものである場合、記憶周期は１分であってよい。
【００２９】
コントローラ１４Ａ，１４Ｂにより、これらのコントローラを上位に持ち機器１８Ａ，１８Ｂを下位に持つサブシステムＡ，Ｂが構築される。例えばサブシステムＡは照明設備サブシステムを示し、サブシステムＢは空調設備サブシステムを示す。
【００３０】
なお、本実施形態では、いわゆるマルチベンダーシステムに対応するビルオートメーションシステムを例示するものであって、図１にて一点鎖線で囲んだサブシステムＢは他社のサブシステム、つまり、サブシステムＡ、管理サーバ１０及び監視端末１２を含むビルオートメーションシステムのベンダー（提供会社）とは異なるベンダーによるサブシステムであるものとする。
【００３１】
補助記憶装置１６は、管理サーバ１０と他社製のコントローラ１４Ｂの仕様の差を埋めるための機器である。補助記憶装置１６は、管理サーバ１０とコントローラ１４Ｂとの間に設けられ、両者の全指令を受信可能となっている。
【００３２】
補助記憶装置１６のハードウェア構成を図３に例示する。補助記憶装置１６は、演算処理手段であるＣＰＵ５０、記憶手段であるＲＡＭ５２、ＲＯＭ５４、ハードディスクドライブ（ＨＤＤ）５６、ハードディスクドライブを制御するＨＤＤコントローラ５８、及び、ネットワーク２０への接続や機器１８との接続のための入出力ポート６０Ａ〜６０Ｃのそれぞれを内部バス６２に接続して構成される。
【００３３】
図１に戻り、補助記憶装置１６は、上位側送受信部４０、下位側送受信部４２、判定部４４、制御部４６、及び補助記憶部４８を備える。上位側送受信部４０及び下位側送受信部４２は、それぞれ、管理サーバ１０及びコントローラ１４Ｂとの信号の送受信を行う。
【００３４】
補助記憶部４８は、管理サーバ１０が収集する機器情報項目データのうち、コントローラ１４Ｂの記憶部２４Ｂに記憶されない機器情報項目データのみを記憶する。
【００３５】
例えばＢＡＣｎｅｔを用いる場合、機器情報項目とは、Ｏｂｊｅｃｔ＿Ｉｄｅｎｔｉｆｉｅｒ（オブジェクト識別子）であってよい。また、機器情報項目データとは、Ｏｂｊｅｃｔ＿Ｉｄｅｎｔｉｆｉｅｒによって特定されたプロパティデータであってよい。Ｏｂｊｅｃｔ＿Ｉｄｅｎｔｉｆｉｅｒは、図２のＯｂｊｅｃｔ＿ＩｎｓｔａｎｃｅＮｏプロパティ及びＯｂｊｅｃｔ＿Ｔｙｐｅプロパティが合成されたものであり、Ｏｂｊｅｃｔ＿ＩｎｓｔａｎｃｅＮｏプロパティを参照することで機器の特定が可能となり、Ｏｂｊｅｃｔ＿Ｔｙｐｅプロパティを参照することでオブジェクトの特定が可能となる。後述するように、補助記憶部４８には、管理サーバ１０が要求し、かつ、コントローラ１４ＢがサポートしないＯｂｊｅｃｔ＿Ｉｄｅｎｔｉｆｉｅｒが記憶設定され、当該Ｏｂｊｅｃｔ＿Ｉｄｅｎｔｉｆｉｅｒによって特定された機器及びオブジェクトのプロパティのみが記憶される。
【００３６】
図４には、補助記憶部４８に記憶される機器情報項目を説明する図が示されている。なお、この図では、理解を容易にするために、Ｏｂｊｅｃｔ＿ＩｎｓｔａｎｃｅＮｏプロパティ及びＯｂｊｅｃｔ＿Ｔｙｐｅプロパティの代わりとして、機器名（Ｏｂｊｅｃｔ＿ＩｎｓｔａｎｃｅＮｏに相当）とオブジェクト内容（Ｏｂｊｅｃｔ＿Ｔｙｐｅに相当）のみを示している。同図には、管理サーバ１０の記憶部２２、コントローラ１４Ａ，１４Ｂの各記憶部２４Ａ，２４Ｂ、及び補助記憶装置１６の補助記憶部４８に対して記憶設定された、機器情報項目が列挙されている。管理サーバ１０の記憶部２２では、記憶すべきサブシステムＡ及びサブシステムＢの各機器情報項目が列挙されている。また、コントローラ１４Ａ，１４Ｂの記憶部２４Ａ，２４Ｂでは、各コントローラに記憶設定された、それぞれの下位の機器１８Ａ，１８Ｂの各機器情報項目が列挙されている。
【００３７】
管理サーバ１０の記憶部２２のサブシステムＡに関する機器情報項目と、サブシステムＡのコントローラ１４Ａの記憶部２４Ａの機器情報項目とを比較すると、両者は一致しており、管理サーバ１０の求める機器情報項目のすべてをコントローラ１４Ａの記憶部２４Ａが網羅していることが理解される。
【００３８】
一方、管理サーバ１０の記憶部２２のサブシステムＢに関する機器情報項目と、サブシステムＢのコントローラ１４Ｂの記憶部２４Ｂの機器情報項目とを比較すると、管理サーバ１０の求める機器情報項目のうち、機器Ｂ−２のＯＮ／ＯＦＦ状態及びＯＮ／ＯＦＦ回数については、コントローラ１４Ｂの記憶部２４Ｂはサポートしていない（記憶対象から外れている）ことが理解される。
【００３９】
このような場合に、コントローラ１４Ｂの設定を変更して、機器Ｂ−２のＯＮ／ＯＦＦ状態及びＯＮ／ＯＦＦ回数についても記憶部２４Ｂに記憶させるように設定することが考えられる。しかし、記憶部２４Ｂの容量等の制約から、そのような設定が困難な場合がある。
【００４０】
そこで、本実施形態では、補助記憶装置１６の補助記憶部４８に、コントローラ１４Ｂがサポートしていない機器情報項目データを記憶させる。また、コスト増に繋がる記憶項目の重複を防ぐために、補助記憶部４８では、コントローラ１４Ｂがサポートしていない機器情報項目データのみを記憶する。
【００４１】
図１に戻り、制御部４６は、コントローラ１４Ｂから、管理サーバ１０が求めるとともに当該コントローラ１４Ｂの記憶部２４Ｂに記憶されない機器情報項目データのみを収集して、補助記憶部４８に記憶させる。この機器情報項目の特定は、例えば管理サーバ１０及びコントローラ１４Ｂの通信仕様書を照らし合わせることで特定できる。制御部４６は、図示しない記憶手段に、特定された機器情報項目データを記憶する。例えば所定のＯｂｊｅｃｔ＿Ｉｄｅｎｔｉｆｉｅｒ（Ｏｂｊｅｃｔ＿ＩｎｓｔａｎｃｅＮｏ＋Ｏｂｊｅｃｔ＿Ｔｙｐｅ）のプロパティデータを、補助記憶部４８に記憶させる機器情報項目データとして登録する。
【００４２】
図５には、制御部４６による情報収集のフローチャートが示されている。制御部４６は、内部に備えるクロック等の計時手段により時刻を計測する。このカウントにより、記憶周期を経過したことを検知すると（Ｓ１０）、制御部４６は、コントローラ１４Ｂから特定された機器情報項目データを収集するとともに、補助記憶部４８にこれを記憶させる（Ｓ１２）。
【００４３】
ここで、コントローラ１４Ｂに機器情報項目データを収集する記憶周期は、補助記憶装置１６の記憶周期と同周期であってよい。コントローラ１４Ｂと補助記憶装置１６の記憶周期を同期させることで、管理サーバ１０や監視端末１２において、時間ずれなく両者のデータがプロットされる。
【００４４】
判定部４４は、管理サーバ１０から出力された指令信号のうち、補助記憶部４８に記憶された機器情報項目データの収集を指示する指令のみを取り込むとともに、その他の指令をコントローラ１４Ｂに転送する。このように、本実施形態では、補助記憶装置１６に関係する指令のみを判別できるように判定部４４を構成している。つまり、判定部４４は、補助記憶装置１６に関係のない指令についてはその意味内容を把握することなくコントローラ１４Ｂに当該指令を転送する。このようにすることで、判定部４４の処理負担が軽減され、また、コントローラ１４Ｂとの機能の重複が避けられる。
【００４５】
また、管理サーバ１０から出力された指令信号が、補助記憶部４８に記憶された機器情報項目データと、コントローラ１４Ｂに記憶された機器情報項目データの両方を同時に収集する内容である場合に、判定部４４では、補助記憶部４８に記憶された機器情報項目に関する指令部分のみを取り込む。このとき制御部４６は、管理サーバ１０から出力された指令信号から、補助記憶部４８に記憶された機器情報項目に関する指令部分を取り除いた指令信号を再構成してコントローラ１４Ｂに送信する。さらに、下位側送受信部４２がコントローラ１４Ｂから機器情報項目データを受信すると、制御部４６は、コントローラ１４Ｂによる機器情報項目データと補助記憶部４８による機器情報項目データを合成した応答信号を生成する。当該応答信号は、上位側送受信部４０より管理サーバ１０に送られる。
【００４６】
また、判定部４４の追加機能として、コントローラ１４Ｂからの通知信号を識別して補助記憶部４８に記憶させてもよい。管理サーバ１０からの要求に応答する通信形態以外に、例えば警報の発信など、コントローラ１４Ｂが自発的に通知信号を出力する場合がある。判定部４４は、下位側送受信部４２を介して受信した、このようなコントローラ１４Ｂの自発的な通知信号を識別するとともに、この通知信号を補助記憶部４８に蓄積させるようにしてもよい。
【００４７】
図６には、判定部４４による、管理サーバ１０からの指令の判別フローが示されている。管理サーバ１０から指令信号を受信すると、判定部４４は、当該信号が、補助記憶部４８に記憶された機器情報項目データの収集を示すものであるか否かを判定する（Ｓ２０）。
【００４８】
具体的には、判定部４４は、管理サーバ１０の指令信号が読み出し型（Ｒ）であるか否かを判定する。読み出し型（Ｒ）でない場合、指令信号をコントローラ１４Ｂに転送する（Ｓ２２）。読み出し型（Ｒ）である場合、判定部４４は、制御部４６の記憶手段を参照して、補助記憶部４８に設定された機器情報項目（Ｏｂｊｅｃｔ＿Ｉｄｅｎｔｉｆｉｅｒ）を呼び出すとともに、当該情報項目が指令信号のものと一致するか否かを判定する。不一致である場合には、指令信号をコントローラ１４Ｂに転送する（Ｓ２２）。一致する場合には、判定部４４は、指令されたＯｂｊｅｃｔ＿Ｉｄｅｎｔｉｆｉｅｒを含むプロパティ情報（機器情報項目データ）を補助記憶部４８から呼び出して管理サーバ１０に出力する（Ｓ２４）。
【符号の説明】
【００４９】
１０  管理サーバ、１２  監視端末、１４Ａ，１４Ｂ  コントローラ、１６  補助記憶装置、１８Ａ，１８Ｂ  機器、２０  ネットワーク、２２  管理サーバ記憶部、２４Ａ，２４Ｂ  コントローラ記憶部、４４  判定部、４６  制御部、４８  補助記憶部。
【図１】
0006381324.tif 000002
【図２】
0006381324.tif 000003
【図３】
0006381324.tif 000004
【図４】
0006381324.tif 000005
【図５】
0006381324.tif 000006
【図６】
0006381324.tif 000007